(57)【要約】      （修正有）【課題】容器に入っている粉末などを、任意設定した分量を簡単で確実に毎回取り出すことが出来る粉末入れ容器を提供する。【解決手段】容器１は、上筒４側面に一面が開放している空洞な３角柱型通路口５の解放側を上筒内部とつながるようにして一体で設けて、容器を傾けて３角柱型通路口及び内筒に粉末を入れ込ませた後に容器を床に置いた際に、粉末が３角柱型通路口の斜面６を滑り落ちて下筒２に戻る途中に内筒にも入り込んで確実に内筒７が満杯になるように、３角柱型通路口の斜面内部の最上部より下側に向かって内筒の内径寸法より大きいスペースＬを設けて、そこに十分の粉末量が溜められるようにする。併せて、内筒に入る粉末の状態が見えるように両側面に透明板が貼られている窓１２を設け、更に３角柱型通路口の斜面外側に内筒を下向きに取付け、出口部をシャッター１０で開閉出来る外筒８を内筒にはめ込んで前後にスライドさせ、任意の位置で固定出来るようにして、内筒外筒内の容積を変える。【選択図】図２
0003218161.tif 000002
【実用新案登録請求の範囲】
【請求項１】
上筒と下筒で構成する茶筒型容器において、上筒側面に一面が開放している空洞な３角柱型通路口の解放側を上筒内部とつながるようにして一体で設け、その３角柱型通路口には斜面外側に内筒を下向きに設け、又、斜面内部の最上部より下側に向かって内筒の内径寸法よりも多いスペースを設け、又、両側面には透明板が貼られている窓を設け、併せて、出口部をシャッターで開閉出来る外筒を内筒にはめ込んでスライドさせ、任意の位置で固定出来るようにして、内筒外筒内の容積を変えることが出来るようにしたことで、容器を傾けて３角柱型通路口及び内筒外筒内に粉末を入り込ませた後に、容器を床に置いた際に３角柱型通路口内の粉末は、内筒内を満杯にしながら斜面を滑り落ちて元に戻り、シャッターを開くと内筒外筒内の粉末のみが滑り落ち出ることで任意設定した分量の粉末を確実に取り出すことが出来るようにしたことを特徴とする茶葉などの粉末入れ容器。
【請求項２】
３角柱型通路口を下筒の側面に設けたことを特徴とする請求項１の粉末入れ容器
【考案の詳細な説明】
【技術分野】
【０００１】  この考案は、茶葉などの粉末入れ容器の形状に関する。
【背景技術】
【０００２】  容器に入っている粉末コーヒーや茶筒に入っている茶葉のお茶などを飲む場合には、容器のキャップや上筒を外し、中に入っている粉末を飲む分だけスプーンなどですくい出すか、容器や茶筒を片手で持ち、傾け振りながら粉末を飲む分だけカップや急須などに落として取り出している。しかし、これらの方法はいずれも毎回同じ適量の粉末を取り出すことは難しい為に、飲む度ごとに味が違って来て困っている状況で、しかも、取り出す度に容器のキャップや上筒などを開けなければならない為に、中に入っている粉末などがその都度空気に触れ、鮮度が失われて行くことになっている。又、別な方法として市販容器本体に通路口を有した専用のキャップを被せ、その通路口に粉末を入り込ませてから取り出す方法が提案されているが、この方法では指定した出量にバラツキが出て毎回正確に同じ分量を取り出すことが出来ず、その為、飲む度に味が違ってしまう欠点があり、併せて、本体容器に合せた専用型のキャップを用意しなければならず、製造面でコスト高になってしまう欠点が生じていた。
【考案の開示】
【考案が解決しようとする課題】
【０００３】  しかしながら以上の技術によれば、いずれも容器から好む分量の粉末を確実に取り出すことは難しく、その為に毎回飲む味が違うことになり、又、粉末を取り出す際は容器のキャップや茶筒の上筒を必ず開けることから中身が空気に触れ鮮度が失われて行く状態となっている。そこでこの考案は、容器の中に入っている粉末などを任意設定した分量だけを確実に毎回簡単に取り出すことが出来、しかも取り出す際に容器の中に入っている粉末が空気に触れる時間を瞬時にすることで鮮度維持の向上が出来、しかも、低コストで製造出来る茶葉などの粉末入れ容器を提供することを課題とする。
【課題を解決するための手段】
【０００４】  以上の課題を解決するために本考案の容器は、上筒側面に一面が開放している空洞な３角柱型通路口の解放側を上筒内部とつながるようにして一体で設け、容器を傾けて内筒内に粉末を入れ込む以外に、容器を床に置いた時に粉末が３角柱型通路口の斜面を滑り落ちながら元に戻る際に内筒にも入り込んで確実に満杯になるように、３角柱型通路口の斜面内部の最上部より下側に向かって内筒の内径寸法程度のスペースを設け、そこに十分の粉末量を溜められるようにし、しかも、内筒に入る粉末の状態が目で見えるように両側面に透明板が貼られている窓を設け、更に斜面外側に内筒を下向きに取付け、併せて、出口部をシャッターで開閉出来る外筒を内筒にはめ込んでスライドさせ、任意の位置で固定出来るようにして、内筒外筒内の容積を変えることが出来るようにすることで、容器を傾けて３角柱型通路口及び内筒外筒内に粉末を入り込ませた後に、容器を床に置くことで３角柱型通路口内の粉末は内筒内を満杯にしながら斜面を滑り落ちて元に戻り、、シャッターを開くと内筒外筒内の粉末のみが滑り落ち出ることで任意設定した分量の粉末を確実に取り出すことが出来るようにする。又、容器内の粉末の鮮度維持を保つために粉末が空気に触れる時間を極力短くするために、シャッターを開閉する時間を瞬時にする。
【考案の効果】
【０００５】  本考案によれば、外筒を自分が定める位置に固定し、容器を手で持ち傾け後に、床に置いてシャッターを開くだけで、望む分量だけの粉末を容器内から簡単に毎回確実に取り出すことが出来るようになったことから、自分が好む味のお茶などを毎回飲むことが出来るようになった。併せて、シャッターを瞬時に開閉するだけで容器から粉末を取り出せるので、従来のキャップや上筒を取り外して粉末などを取り出す方法よりも容器内の粉末が空気に触れる時間が格段に短くなったことで、粉末の鮮度保持を著しく向上させることが出来るようになった。
【考案を実施するための最良の形態】
【０００６】  この考案の実施形態を図面に基づき説明する。
図１は本考案の容器１の実施形態を表した平面図である。図２は図１のＡ−Ａ断面を表した断面図であり、握り部３が付いた下筒２に上筒４の下部を挿入させ、取り外しが出来る茶筒型容器になっている。斜面６の外側に内筒７が一体で設けられている。一面が解放された３角柱型通路口５を上筒４の側面に一体で設けて内筒７までが通路化されている。３角柱型通路口５は、斜面６の内側最上部より下側に向かって内筒７の内径寸法よりも多いスペースＬを有し、両側面には透明板１３が貼られている窓１２が設けられている。スプリング１１と共に軸９を起点に開閉出来るようにしたシャッター１０を外筒８の端部に一体で設け、内筒７の外径に外筒８が挿入されて外筒８が前後にスライド出来るようになっている。図３は本考案の容器１の外筒８の実施形態を表した側面図であり、３角柱型通路口５と一体のプレート１４の長穴１５によって、外筒８の外側に一体で設けてあるネジ１６がガイドされて外筒８は、内筒７の外径に挿入された状態で前後にスライド出来るようになっており、ネジ１６に係合されているツマミ１７を締め込むことで、外筒８は任意の位置で固定出来るようになっている。図４は本考案の容器１の握り部３を片手で持ちながら水平より少し下向きに傾けて粉末１８を、３角柱型通路口５を通しながら内筒７の中に落とし入れた状態の図である。図５は図４の状態にした後で容器１を床に置き、３角柱型通路口５の中にあった粉末１８は内筒７の中にも入りながら斜面６を滑り落ち下筒２に戻り、バネ１１に抗して軸９を起点にしてシャッター１０を手で開くことで、内筒７及び外筒８の中に残った粉末１８を床に置いた急須１９などに滑り落とす状態の図である。
【実施形態の効果】
【０００７】この実施形態によれば、本考案の容器は、容器を片手で持ち傾けた後に、床に置いてシャッターを開くだけで、望む分量だけの粉末を容器内から簡単に毎回確実に取り出すことが出来るので、毎回自分が好む味のお茶などを飲むことが出来るようになった。しかも、シャッターを開閉するだけの瞬時で容器から粉末を取り出せるので、従来のキャップや上筒を取り外して粉末を取り出す方法よりも容器内の粉末が空気に触れる時間が格段に短くなり、粉末の鮮度保持を著しく向上させることが出来るようになった。又、容器形態を上筒と下筒で形成する茶筒型形状にしたことから既存技術で簡単に製作が出来、併せて、本考案の容器の上筒下筒の材質をステンレス製にすれば、容器内の粉末の鮮度維持を更に向上させることが出来る。
【他の実施形態】
【０００８】  図６は本考案の容器の他の実施形態を表した図１のＡ−Ａ断面図であり、３角柱型通路口５を下筒２０の側面に設け、上筒２１を下筒２０に被せた状態の図である。
【図面の簡単な説明】
【０００９】
【図１】本考案の実施形態を表した平面図である。
【図２】本考案の実施形態を表した［図１］のＡ−Ａ断面図である。
【図３】本考案の実施形態を表した上筒上部の側面図である。
【図４】粉末などを入れた本考案の容器を傾けた状態の［図１］のＡ−Ａ断面図である。
【図５】［図４］の状態にした後で、容器を床に置き、急須を脇に置いた図である。
【図６】本考案の他の実施形態を表した断面図である。
【符号の説明】
【００１０】  １  粉末入れ容器      ２  下筒      ３  握り部      ４  上筒
５  ３角柱型通路口    ６  斜面      ７  内筒        ８  外筒
９  軸        １０  シャッター    １１  バネ      １２  窓
１３  透明板    １４  プレート      １５  長穴      １６  ネジ
１７  ツマミ    １８  粉末          １９  急須      ２０  下筒
２１  上筒        Ｌ  スペース
【図１】
0003218161.tif 000003
【図２】
0003218161.tif 000004
【図３】
0003218161.tif 000005
【図４】
0003218161.tif 000006
【図５】
0003218161.tif 000007
【図６】
0003218161.tif 000008